(57)【要約】【課題】大入賞口より上に存在する遊技領域を広くする。【解決手段】遊技球の転落を複雑にする釘３９が植設される遊技盤３０と、前記遊技盤３０上の遊技球の転落領域である遊技領域３１ｂを画定するガイドレール３２と、前記遊技領域３１ｂ内に設けられ、遊技球が入賞することにより大当たり抽選が開始される始動口３３と、遊技球が前記始動口３３に入賞することに基いて大当たりか否かを判定する抽選手段３２と、前記抽選手段３２の判定結果に応じた態様で図柄が表示される図柄表示手段３７と、通常は閉状態で維持され、前記図柄表示手段３７に大当たりを意味する図柄が表示されることに基いて開状態となる大入賞口５１を有し、前記大入賞口５１が前記遊技領域の下部分に位置するように設置される変動入賞装置５０と、前記大入賞口５１の側方に配置されるアウト口５２とを備える。【選択図】図２
2008237234.tif 000002
【特許請求の範囲】
【請求項１】
遊技球の転落を複雑にする釘が植設される遊技盤と、
前記遊技盤上の遊技球の転落領域である遊技領域を画定するガイドレールと、
前記遊技領域内に設けられ、遊技球が入賞することにより大当たり抽選が開始される始動口と、
遊技球が前記始動口に入賞することに基いて大当たりか否かを判定する抽選手段と、
前記抽選手段の判定結果に応じた態様で図柄が表示される図柄表示手段と、
閉状態で維持され、前記図柄表示手段に大当たりを意味する図柄が表示されることに基いて開状態となる大入賞口を有し、前記大入賞口が前記遊技領域の最下部分に位置するように設置される変動入賞装置と、
前記大入賞口の側方に配置されるアウト口と
を備えるパチンコ機。
【発明の詳細な説明】
【技術分野】
【０００１】
本発明は、パチンコ機に関し、特に有効な遊技領域を広く確保することができるパチンコ機に関する。
【背景技術】
【０００２】
従来、パチンコ遊技としては、遊技球を打球鎚により遊技領域の最上部にはじき飛ばし、遊技球を釘等によって複雑に転落させ、賞球が払い出される入賞口や大当たりの抽選が行われる始動口等に入賞すれば賞球の払出や大当たり抽選が行われる。一方、遊技球が入賞口や始動口に入賞しない場合、遊技球は遊技領域の最下部にあるアウト口に案内され当該遊技球に関してはパチンコ遊技が終了する。
【０００３】
近年、パチンコ機としては、図６に示すように、遊技球が転落する遊技領域１０４には、大当たり抽選の結果の図柄やリーチの図柄が表示される図柄表示手段１２０が配置される機種が普及している。
【特許文献１】特開２００６−７５５１０号公報
【発明の開示】
【発明が解決しようとする課題】
【０００４】
ところが近年、図柄表示手段１２０の大型化が著しく、図柄表示手段１２０からアウト口１１８までの遊技球が複雑に転落する領域が狭くなるため、大当たり抽選の契機となる始動口１１６や、大当たり抽選の結果大当たりとなった場合に多くの遊技球を受け入れる大入賞口１１７に遊技球が入賞するか否かを遊技者に楽しませる領域を確保することが困難になってきている。
【０００５】
さらに、図柄表示手段１２０の大型化により、遊技領域１０４の側方ぎりぎりにしか図柄表示手段１２０を回避しつつ遊技球が転落する領域が無いことから、図柄表示手段の下方に配置される始動口１１６や大入賞口１１７に遊技球を導く角度が急になる。この為、始動口への球の入賞率を考慮した遊技領域上への部品の配置に制約が生じたり、興趣性に乏しい転落軌跡しか描かせることができない状態となっている。
【０００６】
従って、興趣性やインパクトの向上を図るために図柄表示手段を大型化させることにより、遊技球が複雑に転落して入賞口に入るか否かを目で追う楽しさが減少することになる。
【０００７】
本発明は、かかる問題に鑑みなされたものであって、上記のような制約を緩和することで、図柄表示手段の大型化を許容しつつ遊技球が転落する遊技領域を広く確保することのできるパチンコ機の提供を目的とする。
【課題を解決するための手段】
【０００８】
上記目的を達成するために、本願発明にかかるパチンコ機は、遊技球の転落を複雑にする釘が植設される遊技盤と、前記遊技盤上の遊技球の転落領域である遊技領域を画定するガイドレールと、前記遊技領域内に設けられ、遊技球が入賞することにより大当たり抽選が開始される始動口と、遊技球が前記始動口に入賞することに基いて大当たりか否かを判定する抽選手段と、前記抽選手段の判定結果に応じた態様で図柄が表示される図柄表示手段と、通常は閉状態で維持され、前記図柄表示手段に大当たりを意味する図柄が表示されることに基いて開状態となる大入賞口を有し、前記大入賞口が前記遊技領域の下部分に位置するように設置される変動入賞装置と、前記大入賞口の側方に配置されるアウト口とを備える。
【０００９】
これにより、大入賞口より上の遊技球が転落する遊技領域を広く確保することができる。また、遊技領域内に大きな図柄表示手段を配置しても、遊技球の転落軌道を規定する釘の植設位置などの設計の自由度を確保することができる。
【発明の効果】
【００１０】
本発明によれば、図柄表示手段を大きくした場合でも、遊技球が転落する遊技領域を広く確保することができ、図柄表示の興趣性に加え、転落する遊技球の行方を追う楽しさも確保することが可能となる。
【発明を実施するための最良の形態】
【００１１】
以下、本発明の実施の形態にかかるパチンコ機について図面を参照しつつ説明する。
【００１２】
図１は、本発明の実施の形態にかかるパチンコ機の斜視図である。
【００１３】
同図（ａ）に示すように、パチンコ機１０は、外枠１１、前枠１２、窓枠１３、および窓枠１３に覆われた遊技盤などを備えている。
【００１４】
また、同図（ｂ）に示すように、パチンコ機１０は、その背面に、液晶ディスプレイなどの表示制御を行なう表示サブ基盤２１、各種遊技音の出力制御を行なう音サブ基盤２２、パチンコ機１０の主要な制御を行う処理部、例えば大当たりか否かを判定する抽選手段を備える主基盤２３、遊技球の払い出し動作を制御する払出基盤２４、各基盤等に電源を供給する電源基盤２５等を備えている。
【００１５】
同図（ｂ）に示すように、前記各種基盤は、不正防止のため、それぞれが透明ケースに収納された状態で取り付けられている。
【００１６】
外枠１１は、パチンコ機１０をパチンコホールに設置されている台島の開口部に取り付けるための部材であり、前後面が開口する薄い四角筒状に形成されている。外枠１１の大きさは、台島の開口部に合致する大きさで統一されており、正面視において外枠１１の範囲内にパチンコ機１０が納まるものとなっている。従って、外枠１１の内部に配置される遊技盤の大きさも外枠１１の大きさに規制され、遊技盤上に形成される遊技領域も外枠１１の大きさに規制される。
【００１７】
前枠１２は、ヒンジにより外枠１１の前端面に開閉可能に軸着されている。従って、パチンコホールの台島に外枠１１が固定された状態において、前枠１２を開閉することができ、台島に取り付けられた状態でパチンコ機１０の背面を見ることができるようになっている。
【００１８】
前枠１２の前面下部には、上面が開口する下皿１４と、上面が開口する上皿１５とが固定されている。上皿１５は払い出された賞球（遊技球）が保持されるとともに、遊技球を遊技領域に打ち出すための打球鎚に遊技球を供給するための部位である。下皿１４は、上皿１５が賞球でいっぱいになった場合に溢れた賞球を保持しておく部位である。
【００１９】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が与えられ、打球槌が駆動することに基づいて上皿１５から供給される遊技球を遊技領域に弾き出すものとなっている。
【００２０】
窓枠１３は、前枠１２の前面に開閉自在に軸着されている。窓枠１３は、円形孔状の窓部１７を有し、窓部１７には透明なガラス窓１７ａが固定されている。この窓枠１３の左上隅部および右上隅部の裏面には、遊技音を出力するスピーカ１８が固定されている。また、窓枠１３には複数の装飾ＬＥＤが固定されている。
【００２１】
次に、窓枠１３の奥にガラス窓１７ａを介して視認可能に取り付けられる遊技盤について説明する。
【００２２】
図２は、遊技盤の正面図である。
【００２３】
遊技盤３０は、上述のように前枠１２の後面に装着されており、窓枠１３のガラス窓１７ａに前方から覆われている。
【００２４】
遊技盤３０は、遊技領域を形成する部材であり、基体３１、ガイドレール３２、障害釘３９、始動口３３、大入賞口５１を有する変動入賞装置５０、アウト口５２、翼片５４、一般入賞口３５、図柄表示手段３７、および保留ランプ３８などを備えている。
【００２５】
基体３１は、遊技盤３０の各構成部材を固定するための板であり、中間部に図柄表示手段３７を取り付けるための矩形の孔が設けられている。
【００２６】
図柄表示手段３７は、前記矩形の孔を通して図柄が見えるように基体３１の背面に取り付けられている。
【００２７】
ガイドレール３２は、この基体３１の前面に起立状に取り付けられる金属製帯状の部材である。ガイドレール３２は、基体３１の外周部に略楕円形に取り付けられており、遊技球が転落する領域である遊技領域３１ｂを画定している。また、ガイドレール３２は、当該ガイドレール３２を隔てて遊技領域３１ｂの反対側に遊技球の発射通路３１ａを形成する。当該発射通路３１ａは、上述の打球槌が弾いた遊技球を、遊技領域３１ｂの上部に導く通路である。
【００２８】
障害釘３９は、遊技領域３１ｂ内の基体３１に植設され、遊技領域３１ｂを転落する遊技球の進路を複雑に変化させる部材である。
【００２９】
始動口３３は、遊技球が入ることにより大当たり抽選が開始される部材であり、上面が開口するポケット状に形成される部材である。始動口３３は、遊技領域３１ｂ内における図柄表示手段３７の下方とさらにその下方との２箇所に取り付けられている。始動口３３は、大当たり抽選の契機となる始動口スイッチが内部に取り付けられている。始動口スイッチは、始動口３３内に遊技球が入賞したことを検出するセンサである。
【００３０】
一般入賞口３５は、遊技球が入賞すると所定数の賞球が払い出される部材であり、上面が開口するポケット状に形成されている。一般入賞口３５は、一般入賞口スイッチが内部に取り付けられており、遊技球が一般入賞口３５に入賞したことを一般入賞口スイッチが検知するものとなっている。
【００３１】
保留ランプ３８は、遊技領域３１ｂ内に４つ固定されている。これらの４つの保留ランプ３８は、点灯個数に応じて、始動口３３に入賞した遊技球の判定処理の待ち状況を遊技者に通知するものである。
【００３２】
図柄表示手段３７は、大当たり抽選が実施されているような演出アニメーションが表示され、あたかも大当たりが近いような演出、いわゆるリーチアクション用のアニメーションが表示されるカラーの液晶ディスプレイからなる。
【００３３】
変動入賞装置５０は、大当たり抽選の結果が大当たりになった場合に遊技球の入賞を受け入れる大入賞口５１を備える装置であり、遊技領域３１ｂの最下部のガイドレール３２近傍に大入賞口５１を配置しうる状態で基体３１に取り付けられている。
【００３４】
図３は、変動入賞装置を拡大して示す斜視図である。
【００３５】
同図に示すように、変動入賞装置５０は、チューリップ型電動役物としての大入賞口５１と、翼片５４と、アウト口５２と、跳躍入賞防止具５３と、翼片駆動装置５５と、補強部材５６とを備えている。
【００３６】
翼片５４は、大入賞口５１の上部両側部にそれぞれ回動自在に取り付けられ、大入賞口５１を閉鎖・開放するための部材である。一対の翼片５４は、通常、大入賞口５１を閉鎖する状態で維持され、遊技球が大入賞口５１に入賞することはできない。大当たり抽選の結果が大当たりになった場合、所定の図柄が図柄表示手段３７に表示された後、前記翼片５４は、基体３１に沿って所定の角度回動し大入賞口５１を開放状態とする。この場合、遊技球が大入賞口５１に容易に入賞可能となる。
【００３７】
翼片駆動装置５５は、翼片５４を駆動するための装置であり、大入賞口ソレノイドと、このソレノイドに連結されるプランジャとを備えている。プランジャは、翼片５４に機械的に連結されており、大入賞口ソレノイドを制御することで、プランジャを介して翼片５４を回動させ、大入賞口５１を開閉することができるものとなっている。
【００３８】
大入賞口５１は、他の入賞口よりも間口が広く、上述の通り大当たりの場合にのみ遊技球の入賞を受け入れるものである。大入賞口５１は、内部に大入賞口スイッチ４１を備え、遊技球が大入賞口５１内に入賞したことを検出することができるものとなっている。
【００３９】
アウト口５２は、遊技領域３１ｂの上部から転落し一般入賞口３５や始動口３３、大入賞口５１に入賞しなかった遊技球が最終的に受け入れられる開口部であって、大入賞口５１の両側方にそれぞれ設けられている。アウト口５２に入った遊技球はパチンコホールに回収される。
【００４０】
跳躍入賞防止具５３は、大入賞口５１や開放状態の翼片５４から逸れて転落してきた遊技球の跳躍を抑える部材であり、大入賞口５１の下方から両側部の方向に向かってガイドレール３２に沿って延設されている。跳躍入賞防止具５３を構成する材質は、遊技球からの衝撃を吸収する物質であれば特に限定されるものではないが、エラストマ（天然ゴムや合成ゴムなど）が衝撃吸収性能を任意に調整でき、比較的安価であるため跳躍入賞防止具５３として好ましい。また、跳躍入賞防止具５３は、奥行き方向に延びる多数の溝が刻設される溝部を備えている。溝部５７により遊技球から衝撃を受けた跳躍入賞防止具５３が変形しやすくなり、衝撃をより効率よく吸収することができる。また、溝部５７は上面がアウト口５２の方向に向くように若干傾斜が設けられている。これにより、遊技球をアウト口５２に導きやすくしている。
【００４１】
補強部材５６は、ガイドレール３２に沿って落下してきた遊技球が、大入賞口５１の側部に衝突する際の衝撃に抗する、又は、衝撃を和らげる部材である。衝撃に抗する補強部材５６の材料としては鉄などの金属が例示でき、衝撃を和らげる材料としてはエラストマを例示することができる。なお、跳躍入賞防止具５３に設けられている溝部５７は、補強部材５６に衝突する遊技球の威力を弱め、また、補強部材５６に衝突し跳ね返った遊技球の速度を落とし、アウト口５２に遊技球が入りやすくするための機能も併せ持つものである。
【００４２】
以上のように、従来のパチンコ機ではアウト口が存在していた部分、つまり、遊技領域３１ｂの最下部分に大入賞口５１が位置するように変動入賞装置５０を設置することで、大入賞口５１の上方から図柄表示手段３７の下方に至る領域を広く確保することができる。
【００４３】
従って、図柄表示手段３７を大きくしても、遊技球が障害釘３９により複雑に転落する領域を十分に確保することができる。また、図柄表示手段３７の側方を転落してきた遊技球を始動口３３や大入賞口５１に導くために遊技球の軌道を強制的に障害釘３９で曲げる角度を緩やかにすることができ、遊技盤３０の設計の自由度を向上させることができる。
【００４４】
また、大入賞口５１をガイドレール３２の近傍に配置することから、ガイドレール３２から跳ね上がる遊技球が大入賞口５１に入賞してしまう確率が上昇すると考えられるが、跳躍入賞防止具５３を大入賞口５１の下部側方に設けることで、大当たり期間中に大入賞口５１に入賞することなく大入賞口５１から逸れた遊技球は跳躍が抑制されるため、遊技球が跳ね上がって大入賞口５１に入賞する確率を低減することができる。
【００４５】
なお、本実施の形態の場合、翼片５４もその形状により跳ね上がった遊技球を押さえ込むことができ、跳躍入賞防止具として機能する。
【００４６】
次に、跳躍入賞防止具５３の別態様を説明する。
【００４７】
図４は、跳躍入賞防止具の別態様を示す図である。
【００４８】
同図に示すように、本跳躍入賞防止具５３は、上述の跳躍入賞防止具５３に加え跳躍した遊技球の大入賞口５１への入賞を邪魔する邪魔部材５３ａを備えている。邪魔部材５３ａは、開いた状態の翼片５４の先端部に当接し、翼片５４の先端から庇状に外方に向かって張り出すように変動入賞装置５０に取り付けられている。
【００４９】
跳躍入賞防止具５３を上記のような構成にすれば、大入賞口５１に入賞することなくアウト口５２に案内されるべき遊技球が跳躍により大入賞口５１に入賞してしまうことをさらに抑止できる。
【００５０】
次に、変動入賞装置５０の別態様を説明する。
【００５１】
図５は、変動入賞装置の別態様を示す図である。
【００５２】
同図に示すように、本変動入賞装置５０は、出没片５８と、アウト口５２と、跳躍入賞防止具５３と、出没片駆動装置５８ａとを備えている。
【００５３】
出没片５８は、ガイドレール３２の最下部を切り欠いて設けられた大入賞口５１の上方に出没自在に取り付けられ、跳躍入賞防止具５３と協働して大入賞口５１を閉鎖・開放するための部材である。出没片５８は、通常、大入賞口５１を閉鎖する突出状態で維持され、遊技球が大入賞口５１に入賞することはできない。大当たり抽選の結果が大当たりになった場合、所定の図柄が図柄表示手段３７に表示された後、前記出没片５８は、基体３１に対し垂直に没入し大入賞口５１を開放状態とする。この場合、遊技球が大入賞口５１に容易に入賞可能となる。
【００５４】
出没片駆動装置５８ａは、出没片５８を駆動するための装置であり、大入賞口ソレノイドと、このソレノイドに連結されるプランジャとを備えている。プランジャは、出没片５８に機械的に連結されており、大入賞口ソレノイドを制御することで、プランジャを介して出没片５８を出没させ、大入賞口５１を開閉することができるものとなっている。
【００５５】
跳躍入賞防止具５３は、大入賞口５１や開放状態の翼片５４から逸れて転落してきた遊技球の跳躍を抑える部材であり、大入賞口５１を形成しているガイドレール３２の端縁から上方に向かって起立状に延設されている。また、先端から庇状に外方に向かって張り出し部が一体に延設されている。
【００５６】
以上の構成にすれば、大入賞口５１を遊技領域３１ｂの最も下部に設けることができ、大入賞口５１より上の遊技領域をより広く確保することが可能となる。
【００５７】
なお、本願発明は上記実施形態に限定されるわけではない。例えば、アウト口５２は、変動入賞装置５０に備えられる必要はなく、基体３１に直接設けられてもよい。
【００５８】
また、跳躍入賞防止具５３は、遊技球の勢いを殺したり、跳躍した遊技球が大入賞口に入賞しないように遊技球を妨害するものばかりでなく、遊技球を大入賞口５１ではなくアウト口５２に案内するように遊技球の跳躍方向を制御するものでも良い。例えば、ガイドレール３２をアウト口５２方向に折り曲げる態様などである。
【産業上の利用可能性】
【００５９】
本願発明は、パチンコ機に利用できる。
【図面の簡単な説明】
【００６０】
【図１】本発明の実施の形態にかかるパチンコ機の斜視図。
【図２】遊技盤の正面図。
【図３】変動入賞装置を拡大して示す斜視図。
【図４】跳躍入賞防止具の別態様を示す図。
【図５】変動入賞装置の別態様を示す斜視図。
【図６】従来の遊技盤を示す正面図。
【符号の説明】
【００６１】
１０…パチンコ機、３０…遊技盤、３１…基体、３１ｂ…遊技領域、３２…ガイドレール、３３…始動口、３７…図柄表示手段、５０…変動入賞装置、５１…大入賞口、５２…アウト口、５３…跳躍入賞防止具、５３ａ…邪魔部材、５４…翼片、５５…翼片駆動装置、５６…補強部材、５７…溝部、５８…出没片、５８ａ…出没片駆動装置
【図１】
2008237234.tif 000003
【図２】
2008237234.tif 000004
【図３】
2008237234.tif 000005
【図４】
2008237234.tif 000006
【図５】
2008237234.tif 000007
【図６】
2008237234.tif 000008